(57)【特許請求の範囲】
【請求項１】
螺旋状の溝が設けられた軸部と、該軸部の一端に該軸部の径より大きく形成された頭部とを備え、対象物に固定物を取り付ける際に、前記軸部を挿通すると共に前記頭部を不通とする大きさに設けられた前記固定物の挿通穴に前記軸部を挿通し、前記頭部を操作することにより前記軸部を捻じ込んで前記固定物を前記対象物に取り付ける螺軸部材と、
前記固定物とは反対側から前記対象物に当接し、前記固定物の前記挿通穴に挿通された前記軸部が捻じ込まれる取付部材と、 
該螺軸部材の前記頭部を操作することにより前記軸部の捻じ込みを緩めることによって前記固定物を前記対象物から取り外す際に、該固定物と該螺軸部材とが分離するのを防止する分離防止部材と、
を備えた固定装置であって、
前記分離防止部材は、前記軸部を挿通する挿通穴を備えると共に、該挿通穴の一端側が前記軸部とほぼ同径に形成された係止部を備え、
前記対象物に前記固定物を取り付ける際に、前記分離防止部材を前記対象物と前記固定物との間に配置し、前記螺軸部材の軸部を前記分離防止部材の前記挿通穴に挿通させることにより、前記分離防止部材の前記係止部が前記螺軸部材の前記軸部に係止して該固定物と該螺軸部材とが分離するのを防止し、
前記取付部材は、前記軸部から離れた位置で、前記固定物とともに前記対象物を挟持することを特徴とする固定装置。
【請求項２】
前記分離防止部材の前記係止部は、前記螺軸部材の前記軸部の前記固定物よりも先端側と係止し、該係止部と該頭部とで前記固定物を挟持することを特徴とする請求項１に記載の固定装置。
【請求項３】
前記分離防止部材は、コイルスプリングであり、該コイルスプリングは、コイル巻回径がその一端側から他端の前記係止部側にかけて徐々に縮径したとぐろ状に形成されて、前記螺軸部材の前記軸部を巻回するように配置されることを特徴とする請求項１又は請求項２に記載の固定装置。
【請求項４】
前記固定装置は、遊技島台に設けられる上部島枠と下部島枠との間に形成される遊技機設置空間に、前記固定物により遊技機の外枠の下辺部を固定するものであって、
前記対象物とは前記外枠の下辺部であり、前記固定物及び前記取付部材は、前記外枠の下辺部を挟持することを特徴とする請求項３に記載の固定装置。
【請求項５】
前記固定装置は、遊技島台に設けられる上部島枠と下部島枠との間に形成される遊技機設置空間に、前記固定物により遊技機の外枠の上辺部を固定するものであって、
前記対象物とは前記外枠の上辺部であり、前記固定物及び前記取付部材は、前記外枠の上辺部を挟持することを特徴とする請求項３に記載の固定装置。
【発明の詳細な説明】
【技術分野】
【０００１】
本発明は、遊技機を設置する島台等の対象物に固定物をボルトで螺着して取り付けると共に、固定物を対象物から取り外した際に固定物とボルトとが分離するのを防止する分離防止部材を備えた固定装置に関する。
【背景技術】
【０００２】
従来からパチンコ機等の遊技機は、島台に設けられる長尺板状の上部島枠と下部島枠との間に形成される設置空間に設置され、前後方向への傾斜角度を付けて島台に固定されるようになっている。この傾斜角度の調整如何によって、遊技機の出玉が大きく左右されることになり、従って、該傾斜角度の調整は、遊技場における重要な作業となっている。
【０００３】
ところで、遊技機を島台に取り付けるには、一般的に、遊技機を構成する外枠の上辺部及び下辺部を釘打ちすることにより行われている。しかしながら、この遊技機の固定作業は、垂直に起立した状態から１度後側に傾けた範囲の中で遊技機を取り付けなければならず、従って、この遊技機の固定作業は困難を極め、熟練を要する作業となっていた。
【０００４】
また、最近では、この遊技機の固定作業を容易にするため、外枠の上辺部を釘等で島台に固定する一方、外枠の下辺部を所定の固定装置で傾斜角度を調整しながら固定する技術が提案されている（特許文献１〜３参照）。しかしながら、遊技機の外枠は、その奥行きがメーカー毎で様々に異なっており、このため、これらの技術では、遊技機の入れ替えの際、以前の遊技機と奥行きが大きく異なるような場合には、遊技機の島台への取り付けは非常に煩わしい作業になるという問題点があった。
【先行技術文献】
【特許文献】
【０００５】
【特許文献１】特開平５−４２２５３号公報
【特許文献２】特開２００６−３１４６５３号公報
【特許文献３】登録実３１３０００５号公報
【発明の概要】
【発明が解決しようとする課題】
【０００６】
そこで、本出願人は、このような問題点を改善するため、特願２０１１−２０９１７号に示す遊技機の固定装置を出願した。この技術は、遊技機固定装置の押圧固定部材を弾性部材により前後方向にスライド自在に設け、所定の傾斜角度になったらボルトで該押圧固定部材を固定装置本体に固定することにより遊技機を島台に取り付けるようになっている。従って、この技術によれば、以前の遊技機と奥行きが大きく異なる遊技機であっても、所望の傾斜角度で容易に該遊技機を島台に取り付けることが可能になる。
【０００７】
しかし、この固定装置を採用して遊技機の入れ替え作業を行う場合、本来はボルトの外れ具合を目視しながら徐々に回転させて押圧固定部材が固定装置本体から離脱しないように使用すべきところを、不慣れな作業者は、電動工具等で加減せずにボルトを一気に回転させ、その結果、ボルトが固定装置から外れ、このため押圧固定部材が固定装置本体から離脱してしまい、その際に押圧固定部材に挿入されているボルトも押圧固定部材から分離し、島台内の玉貯留タンク等に落下してしまうという問題点があった。ボルトが玉貯留タンクに落下すると、貯留されている玉に紛れ込んでボルトを探すのが困難であり、ボルトが見つからない場合には、島台内で玉詰まりの原因になったり、装置を故障させたりする虞がある。
【０００８】
本発明は、上記した問題点を解決するためになされたもので、その目的とするところは、遊技機を設置する島台等の対象物に固定物をボルトで螺着して取り付けると共に、対象物からボルトを外して固定物を対象物から取り外した場合であっても、固定物とボルトとが分離することがなく、これによりボルトを紛失してしまうことを防止できる分離防止部材を備えた固定装置を提供することにある。
【課題を解決するための手段】
【０００９】
この様な問題を解決するために、本発明の固定装置は、請求項１に記載したように、螺旋状の溝が設けられた軸部と、該軸部の一端に該軸部の径より大きく形成された頭部とを備え、対象物に固定物を取り付ける際に、前記軸部を挿通すると共に前記頭部を不通とする大きさに設けられた前記固定物の挿通穴に前記軸部を挿通し、前記頭部を操作することにより前記軸部を捻じ込んで前記固定物を前記対象物に取り付ける螺軸部材と、該螺軸部材の前記頭部を操作することにより前記軸部の捻じ込みを緩めることによって前記固定物を前記対象物から取り外す際に、該固定物と該螺軸部材とが分離するのを防止する分離防止部材と、を備えた固定装置であって、前記分離防止部材は、前記軸部を挿通する挿通穴を備えると共に、該挿通穴の一端側が前記軸部とほぼ同径に形成された係止部を備え、前記対象物に前記固定物を取り付ける際に、前記分離防止部材を前記対象物と前記固定物との間に配置し、前記螺軸部材の軸部を前記分離防止部材の前記挿通穴に挿通させることにより、前記分離防止部材の前記係止部が前記螺軸部材の前記軸部に係止して該固定物と該螺軸部材とが分離するのを防止することを要旨とする。
【００１０】
また、請求項２に記載の固定装置は、請求項１に記載の固定装置において、前記分離防止部材の前記係止部は、前記螺軸部材の前記軸部の前記固定物よりも先端側と係止し、該係止部と該頭部とで前記固定物を挟持することを要旨とする。
【００１１】
また、請求項３に記載の固定装置は、請求項１又は請求項２に記載の固定装置において、前記分離防止部材は、コイルスプリングであり、該コイルスプリングは、コイル巻回径がその一端側から他端の前記係止部側にかけて徐々に縮径したとぐろ状に形成されて、前記螺軸部材の前記軸部を巻回するように配置されることを要旨とする。
【００１２】
また、請求項４に記載の固定装置は、請求項３に記載の固定装置において、前記固定装置は、遊技島台に設けられる上部島枠と下部島枠との間に形成される遊技機設置空間に、前記固定物により遊技機の外枠の下辺部を固定するものであって、該固定物は、前記軸部を、上方から前記固定物の前記挿通穴及び前記コイルスプリングの前記挿通穴に挿通し、前記頭部を操作して前記螺軸部材を捻じ込むことにより、前記遊技機の外枠の下辺部と当接して該外枠を下方の前記下部島枠側に押圧することで、前記遊技機の外枠の下辺部を前記遊技機設置空間に固定することを要旨とする。
【００１３】
また、請求項５に記載の固定装置は、請求項３に記載の固定装置において、前記固定装置は、遊技島台に設けられる上部島枠と下部島枠との間に形成される遊技機設置空間に、前記固定物により遊技機の外枠の上辺部を固定するものであって、該固定物は、前記軸部を、下方から前記固定物の前記挿通穴及び前記コイルスプリングの前記挿通穴に挿通し、前記頭部を操作して前記螺軸部材を捻じ込むことにより、前記遊技機の外枠の上辺部と当接して該外枠を上方の前記上部島枠側に押圧することで、前記遊技機の外枠の上辺部を前記遊技機設置空間に固定することを要旨とする。
【発明の効果】
【００１４】
請求項１の発明は、固定装置は、ボルト等の螺軸部材と分離防止部材とからなり、螺軸部材は、螺旋状の溝が設けられた軸部と、この軸部の一端に該軸部の径より大きく形成された頭部とを備え、対象物に固定物を取り付ける際に、軸部を挿通すると共に頭部を不通とする大きさに設けられた固定物の挿通穴に軸部を挿通し、頭部を回転等の操作をすることにより軸部を捻じ込んで固定物を対象物に取り付ける。一方、分離防止部材は、螺軸部材の頭部を操作することにより軸部の捻じ込みを緩めることによって固定物を対象物から取り外す際に、固定物と螺軸部材とが分離するのを防止する。
【００１５】
そして、このように構成される本発明の固定装置において、分離防止部材は、螺軸部材の軸部を挿通する挿通穴を備えると共に、この挿通穴の一端側が螺軸部材の軸部とほぼ同径に形成された係止部を備えている。しかして、螺軸部材の軸部を固定物の挿通穴及び分離防止部材の挿通穴に挿通し、螺軸部材の頭部を操作することにより螺軸部材を捻じ込んで固定物を対象物に取り付ける際に、分離防止部材が対象物と固定物との間に位置し、分離防止部材の係止部が螺軸部材の軸部に係止する。即ち、螺軸部材を捻じ込んで固定物を対象物に取り付けたとき、固定物と螺軸部材とが分離防止部材により一体的に組み付けられ、これにより固定物と螺軸部材とが分離するのを防止するようになっている。
【００１６】
従って、このように構成される本発明の固定装置においては、不慣れな作業者が螺軸部材の頭部を操作し、螺軸部材を緩めることによって固定物を対象物から取り外す際に、固定物から螺軸部材が抜け落ちたりして固定物と螺軸部材とが分離してしまうことがなく、その結果、螺軸部材を紛失してしまうことを防止することができる。
【００１７】
請求項２の固定装置は、螺軸部材を捻じ込んで固定物を対象物に取り付けたとき、分離防止部材は対象物と固定物との間に位置しているので、分離防止部材の係止部が螺軸部材の軸部の固定物よりも先端側と係止し、これにより、固定物は、螺軸部材の軸部とほぼ同径に形成された分離防止部材の係止部と螺軸部材の頭部とで挟持されて固定される状態となる。従って、このように構成される本発明の固定装置においては、固定物と螺軸部材とが分離防止部材により、より強固に組み付けられることになり、その結果、固定物と螺軸部材とが分離してしまうことをより確実に防止することができる。
【００１８】
ここで、分離防止部材の具体的な構成としては種々考えられ、例えば次のようにしてもよい。即ち、請求項３の固定装置は、分離防止部材をコイルスプリングとし、このコイルスプリングを、コイル巻回径がその一端側から他端の係止部側にかけて徐々に縮径したとぐろ状、換言すれば円錐状に形成して、螺軸部材の軸部を巻回するように配置する。このため、コイルスプリングは、固定物と対象物との間に、コイル巻回径の小さい係止部側を螺軸部材の頭側（固定物側）に配置し、コイル巻回径の大きい係止部と反対側を螺軸部材の軸部の先端側（対象物側）に配置することができる。そして、この状態では、固定物は、螺軸部材の軸部とほぼ同径に形成されたコイルスプリング端部の係止部と螺軸部材の頭部とで挟持されて強固に固定される状態となる。
【００１９】
従って、このように構成される本発明の固定装置においては、コイルスプリングを用いることで分離防止部材を簡単な構成で実現できる共に、コイルスプリングは、工具を使用することなく、容易に螺軸部材の軸部に着脱することができ、さらに、螺軸部材を緩めることによって固定物を対象物から取り外す際に、コイルスプリングが不意に飛び出して、コイルスプリングを紛失してしまうことも回避できる。また、コイルスプリングは、形状がとぐろ状（円錐状）に形成されているので、螺軸部材に取り付ける際の取り扱いが容易であり、且つ固定物と対象物との間に配置されたときの安定性が非常によく、さらに、重量も軽く、螺軸部材の頭部を操作しても螺軸部材の軸部から容易に脱落することはなく、その結果、固定物と螺軸部材とが分離してしまうことをより確実に防止することができる。
【００２０】
請求項４の固定装置は、遊技島台に設けられる上部島枠と下部島枠との間に形成される遊技機設置空間に、遊技機（例えば、パチンコ遊技機）の外枠の下辺部を固定物により固定するものとしている。しかして、この固定装置において、螺軸部材の軸部を、上方から固定物の挿通穴及びコイルスプリングの挿通穴に順次挿通し、螺軸部材の頭部を操作して螺軸部材を捻じ込むことにより、固定物を遊技機の外枠の下辺部と当接させて該外枠を下方の下部島枠側に押圧する。即ち、コイルスプリングの付勢力に抗して上方から螺軸部材を捻じ込むことにより、固定物が外枠の下辺部と当接して該外枠を下方に押圧することで、外枠の下辺部は、固定物と下部島枠とで略挟持されて固定される状態となり、これにより、遊技機設置空間に遊技機の外枠の下辺部を固定することになる。
【００２１】
従って、このように構成される本発明の固定装置においては、螺軸部材の捻じ込みを弱めた状態では、コイルスプリングの付勢力によって固定物を下部島枠から遠ざかる方向（上方向）に移動させるので、固定物が自重によって下方に落ち込むことを回避でき、その結果、遊技機（外枠）を遊技機設置空間に挿入する際、遊技機（外枠）の遊技機設置空間内への挿入を阻害しない位置に固定物を移動させておくことができ、遊技機（外枠）の固定作業を容易にすることができる。
【００２２】
請求項５の固定装置は、遊技島台に設けられる上部島枠と下部島枠との間に形成される遊技機設置空間に、遊技機（例えば、パチンコ遊技機）の外枠の上辺部を固定物により固定するものとしている。しかして、この固定装置において、螺軸部材の軸部を、下方から固定物の挿通穴及びコイルスプリングの挿通穴に順次挿通し、螺軸部材の頭部を操作して螺軸部材を捻じ込むことにより、固定物を遊技機の外枠の上辺部と当接させて該外枠を上方の上部島枠側に押圧する。即ち、コイルスプリングの付勢力に抗して下方から螺軸部材を捻じ込むことにより、固定物が外枠の上辺部と当接して該外枠を上方に押圧することで、外枠の上辺部は、固定物と上部島枠とで略挟持されて固定される状態となり、これにより、遊技機設置空間に遊技機の外枠の上辺部を固定することになる。
【００２３】
従って、このように構成される本発明の固定装置においては、コイルスプリングにより強固に固定物と螺軸部材とが固定されているので、不慣れな作業者が下方から螺軸部材の頭部を操作し、螺軸部材を緩めて固定物を取り外す際に、螺軸部材がその自重により落下したり、コイルスプリングが不意に飛び出したりして、これら螺軸部材及びコイルスプリングが固定物から分離してしまうことを防止できるので、その結果、螺軸部材及びコイルスプリングが遊技島台内に紛れ込んで、当該遊技島台を構成する各種装置が正常に機能しなくなる不具合（例えば、螺軸部材及やコイルスプリングが玉詰まりの原因になったり、装置を傷つけて故障させたりする不具合）を回避することができる。
【図面の簡単な説明】
【００２４】
【図１】本実施形態に係わるパチンコ島台１の一部正面斜視図である。
【図２】本実施形態に係わるパチンコ島台１の一部裏面斜視図である。
【図３】本実施形態に係わる上側遊技機固定装置１４０と賞球補給装置１４とがスライド調整機構１８０を介して上部島枠４に取り付けられた状態を示す上方からの斜視図である。
【図４】本実施形態に係わる上側遊技機固定装置１４０と賞球補給装置１４とがスライド調整機構１８０を介して上部島枠４に取り付けられた状態を示す下方からの斜視図である。
【図５】図５（Ａ）は、本実施形態に係わる取付ベース１４１を除いた上側遊技機固定装置１４０を示す上方からの斜視図であり、図５（Ｂ）は、本実施形態に係わる取付ベース１４１を除いた上側遊技機固定装置１４０を示す下方からの斜視図である。
【図６】図６（Ａ）は、本実施形態に係わる上側遊技機固定装置１４０及びスライド調整機構１８０を示す縦断面図であり、図６（Ｂ）は、本実施形態に係わるスライド調整機構１８０を示す縦断面図である。
【図７】本実施形態に係わる上側遊技機固定装置１４０から押圧固定部材１４３、取付ボルト１４５、円錐型コイルスプリング１４９を分解した状態を示す縦断面図である。
【図８】図８（Ａ）〜（Ｃ）は、本実施形態に係わる上側遊技機固定装置１４０の押圧固定部材１４３の作用状態を示す縦断面図である。
【図９】図９（Ａ）〜（Ｃ）は、本実施形態に係わる上側遊技機固定装置１４０から押圧固定部材１４３、取付ボルト１４５、円錐型コイルスプリング１４９を分離した状態を示す縦断面図である。
【図１０】図１０（Ａ）は、本実施形態に係わる下側遊技機固定装置３００を示す斜視図であり、図１０（Ｂ）は、本実施形態に係わる下側遊技機固定装置３００を示す一部分解斜視図であり、図１０（Ｃ）は、本実施形態に係わる下側遊技機固定装置３００を示す分解斜視図である。
【図１１】図１１（Ａ）〜（Ｄ）は、本実施形態に係わる下側遊技機固定装置３００の押圧固定部材３０３の作用状態を示す縦断面図である。
【図１２】図１２（Ａ）〜（Ｃ）は、本実施形態に係わる下側遊技機固定装置３００から押圧固定部材３０３、取付ボルト３０５、円錐型コイルスプリング３０７を分離した状態を示す縦断面図である。
【発明を実施するための形態】
【００２５】
以下に、本発明を実施するための形態を図を用いて説明する。図１は、パチンコ島台１の一部正面斜視図であり、図２は、パチンコ島台１の一部裏面斜視図である。なお、図１、２では、パチンコ遊技機２台分の長さのパチンコ島台１を示し、パチンコ遊技機は図示省略している。図１、２に示すように、パチンコ島台１には、複数のパチンコ遊技機を取り付けるための上部島枠４と、下部島枠５とが、パチンコ遊技機の高さと略同一の間隔をあけて該パチンコ島台１の長手方向に沿って掛け渡されている。
【００２６】
下部島枠５の前端側には、遊技者が玉箱等を載置するためのカウンター６が突設され、下部島枠５の下方には、パチンコ島台１で循環使用されるパチンコ玉を貯留する玉貯留タンク等の装置を遮蔽するための腰板１３が立設されている。上部島枠４は、パチンコ遊技機にパチンコ玉を補給するための補給樋等の装置を遮蔽するための幕板３が、開閉自在に取り付けられる固定枠のうちの下側の枠としての機能も兼ね備えている。
【００２７】
上部島枠４と下部島枠５との間には、パチンコ遊技機同士で所定の間隔を設けるための間仕切り８が立設され、この間仕切り８と上部島枠４、下部島枠５によって区画された空間が、１台のパチンコ遊技機を設置するための遊技機設置空間１０として形成されている。また、図１、２において、遊技機設置空間１０には、その下側に装飾カバー板１１が付設されたパチンコ遊技機内枠の外周を覆う矩形状の外枠９と、下部島枠５の後側上面に取り付けられてパチンコ遊技機から排出されたアウト玉を計数して回収樋等の装置に流下させるアウト玉計数ボックス１２と、間仕切り８に隣接してパチンコ遊技機と１対１で対応するように配置され、パチンコ遊技機と電気的に接続されて貸玉を行うための紙幣や硬貨を投入する金銭投入口、及びプリペイドカードや会員カード等を挿入するカード挿入口等を備えた台間ユニット２と、パチンコ遊技機（外枠９）を支承する下部島枠５上面に固定された支承板７と、後述する賞球補給装置１４とが取り付けられた状態を示している。なお、パチンコ遊技機は、外枠９と、この外枠９に開閉及び着脱自在に取り付けられるパチンコ遊技機の主要装置を備えた内枠とから構成されるものである。
【００２８】
さらに、遊技機設置空間１０には、パチンコ遊技機を固定するための装置であって、後に詳述するパチンコ遊技機の前後方向の傾斜角度（以後、単に「傾斜角度」ともいう）を調整可能な上側遊技機固定装置１４０と下側遊技機固定装置３００とが取り付けられている。下側遊技機固定装置３００は、アウト玉計数ボックス１２を挟むように下部島枠５の左右２箇所に取り付けられ、一方、上側遊技機固定装置１４０は、後述の賞球補給装置１４を挟むように上部島枠４の左右２箇所に取り付けられている。なお、下側遊技機固定装置３００は、支承板７の後側上面にビスで固定されることにより下部島枠５の上面に取り付けられ、上側遊技機固定装置１４０は、後述のスライド調整機構１８０の後端部分にビスで固定されることにより上部島枠４の下面に取り付けられるようになっている。
【００２９】
次に、上側遊技機固定装置１４０の構成について、図３〜９を参照しながら説明する。図３は、上側遊技機固定装置１４０と賞球補給装置１４とがスライド調整機構１８０を介して上部島枠４に取り付けられた状態を示す上方からの斜視図であり、図４は、上側遊技機固定装置１４０と賞球補給装置１４とがスライド調整機構１８０を介して上部島枠４に取り付けられた状態を示す下方からの斜視図であり、図５（Ａ）は、取付ベース１４１を除いた上側遊技機固定装置１４０を示す上方からの斜視図であり、図５（Ｂ）は、取付ベース１４１を除いた上側遊技機固定装置１４０を示す下方からの斜視図であり、図６（Ａ）は、上側遊技機固定装置１４０及びスライド調整機構１８０を示す縦断面図であり、図６（Ｂ）は、スライド調整機構１８０を示す縦断面図であり、図７は、上側遊技機固定装置１４０から押圧固定部材１４３、取付ボルト１４５、円錐型コイルスプリング１４９を分解した状態を示す縦断面図であり、図８（Ａ）〜（Ｃ）は、上側遊技機固定装置１４０の押圧固定部材１４３の作用状態を示す縦断面図であり、図９（Ａ）〜（Ｃ）は、上側遊技機固定装置１４０から押圧固定部材１４３、取付ボルト１４５、円錐型コイルスプリング１４９を分離した状態を示す縦断面図である。
【００３０】
上側遊技機固定装置１４０は、図３、４に示すように、賞球補給装置１４と共にスライド調整機構１８０を介して上部島枠４に取り付けられている。賞球補給装置１４は、補給樋からのパチンコ玉をパチンコ遊技機の背面に設けられる賞球タンクに供給する装置であって、金属板からなる支持基板１５と、支持基板１５に固着されパチンコ玉を一列に整列して流下させる整列通路１６と、整列通路１６と連通しその先端が賞球タンク内に臨む図示しない補給筒と、補給筒とで二股状に形成された作動腕１７等とにより構成されている。また、スライド調整機構１８０は、賞球補給装置１４及び上側遊技機固定装置１４０を上部島枠４に対してスライド調整可能に固定するもので、その詳細については後述する。
【００３１】
上側遊技機固定装置１４０は、図５、６に示すように、スライド調整機構１８０に取り付けられる取付ベース１４１と、取付ベース１４１に一体的に取り付け固定される取付部材１４２と、外枠９の上辺部の下面を上方に押圧して固定する押圧固定部材１４３と、押圧固定部材１４３を取付部材１４２に対してスライド移動可能に取り付ける螺合受部材１４４及び取付ボルト１４５と、取付部材１４２内に配置されて螺合受部材１４４を付勢するコイルスプリング１４６と、押圧固定部材１４３内に配置されて押圧固定部材１４３を付勢すると共に押圧固定部材１４３から取付ボルト１４５が分離するのを防止する円錐型コイルスプリング１４９と、取付部材１４２を取付ベース１４１に取り付け固定するための固定ボルト１４７と、押圧固定部材１４３に取り付けられて外枠９の上辺部を押圧する押圧ボルト１４８（図６では図示省略）とを備えている。
【００３２】
取付ベース１４１は、長板状の基板部１５０を備えた金属板が折曲されて形成されており、基板部１５０の前端側には、取付ベース１４１をスライド調整機構１８０に取り付けるための取付穴１５１を穿設した取付フランジ部１５２が折曲形成されている。基板部１５０には、固定ボルト１４７によって取付部材１４２を取付ベース１４１に固定するためのネジ穴１５３、１５４が前後２箇所に穿設されている。なお、固定ボルト１４７は、ネジ穴１５３、１５４のいずれか一方と螺合することで取付部材１４２を取付ベース１４１に固定するものである。また、基板部１５０の左右両端には、取付部材１４２の横幅方向の取付位置を規制するための規制フランジ１５５が下方に折曲形成されている（図３、４参照）。即ち、左右一対の規制フランジ１５５が形成された基板部１５０は、後述する取付部材１４２の左右の側壁面１５６を内嵌する断面凹状に形成されている。
【００３３】
取付部材１４２は、金属板が折曲されて、左右の側壁面１５６、上壁面１５７、前壁面１５８及び後壁面１５９を備えた形状に形成されている。上壁面１５７には、取付ボルト１４５を挿通するための挿通穴１６０が長穴状に穿設されている。前壁面１５８の下端には、上側遊技機固定装置１４０によって外枠９を固定する際に外枠９の上辺部の上端面と当接する当接フランジ部１６１が形成されている。一方、後壁面１５９の下端には、取付部材１４２を取付ベース１４１に取り付けるための取付フランジ部１６２が形成されており、この取付フランジ部１６２には、固定ボルト１４７を挿通するための挿通穴１６３が穿設されている。そして、取付部材１４２は、取付フランジ部１６２（挿通穴１６３）に挿通された固定ボルト１４７が、上部島枠４の後端部にビス止めされた取付ベース１４１のネジ穴１５３、１５４のいずれか一方に捻じ込まれることで、取付ベース１４１に一体的に取り付け固定される。なお、このような取付部材１４２の取り付け状態において、上壁面１５７に穿設された長穴状の挿通穴１６０は、その条設方向が遊技機設置空間１０に設置されるパチンコ遊技機（外枠９）の前後方向と並行になるように配される。
【００３４】
押圧固定部材１４３は、金属板が折曲されて、左右の側壁面１６４、上壁面１６５及び後壁面１６６を備えた形状に形成されている。左右の側壁面１６４は、取付部材１４２の左右の側壁面１５６を外嵌する形状に形成されており、その前端部は、遊技機設置空間１０に設置される外枠９上辺部の後端面と当接して該後端面を支持する支持部１６４ａを構成している。上壁面１６５の後側部には、取付ボルト１４５を取り付けるための取付穴１６７が穿設されている。一方、上壁面１６５の前端側は、前方に延設されており、その先端部は、下方にほぼ直角に折曲されて複数（本実施形態では３つ）の押圧爪部１６８が形成されている。また、上壁面１６５の前側部には、ボルト取付用のネジ穴１６５ａが穿設されている。このネジ穴１６５ａは、押圧ボルト１４８の捻じ込みを可能にして、該押圧ボルト１４８の先端部で外枠９の上辺下面を押さえ込むようになっている。なお、押圧ボルト１４８及びネジ穴１６５ａは、図５のみに示し、その他の図では省略している。後壁面１６６は、側壁面１６４に比べて高さが短く設定されており、このため、押圧固定部材１４３を取付部材１４２に取り付けた状態で、後壁面１６６が取付部材１４２を外嵌することはなく、後壁面１６６下端部に形成された当接部１６６ａは、押圧固定部材１４３による外枠９の上辺部の押圧状態に応じて取付部材１４２の上壁面１５７と当接するようになっている。
【００３５】
螺合受部材１４４は、前壁面１６９、後壁面１７０及び上壁面１７１を備えた形状に金属板が折曲形成されて、取付部材１４２の上壁面１５７と取付ベース１４１の基板部１５０との間の空間内に配置される。上壁面１７１には、取付ボルト１４５と螺合するネジ穴１７２が穿設されている。取付ボルト１４５は、螺合受部材１４４のネジ穴１７２と螺合する雄ネジ部１７３と、この雄ネジ部１７３の上端に一体的に設けられて当該取付ボルト１４５を回転操作するための操作部１７４とを備えている。そして、図７に示すように、取付ボルト１４５の雄ネジ部１７３が、押圧固定部材１４３の取付穴１６７、円錐型コイルスプリング１４９及び取付部材１４２の挿通穴１６０に順次挿通され、この状態から、雄ネジ部１７３の先端部分が螺合受部材１４４のネジ穴１７２に螺合される。これにより、押圧固定部材１４３が、螺合受部材１４４及び取付ボルト１４５によって取付部材１４２に取り付けられて、上側遊技機固定装置１４０が組み付けられる。また、このような上側遊技機固定装置１４０の組み付けによって、押圧固定部材１４３の上壁面１６５と取付部材１４２の上壁面１５７との間には、円錐型コイルスプリング１４９が配置されることになり、この円錐型コイルスプリング１４９は、上壁面１６５が取付ボルト１４５の操作部１７４と当接するように押圧固定部材１４３を常時付勢する。なお、円錐型コイルスプリング１４９は、そのコイル巻回径が上端から下端にかけて徐々に縮径することで、とぐろ状に形成されており、下端部１４９ａのコイル巻回径は、取付ボルト１４５の雄ネジ部１７３のネジ径とほぼ同一に設定されている。また、コイルスプリング１４６は、その一端が取付部材１４２の後壁面１５９と当接する一方、他端が螺合受部材１４４の後壁面１７０と当接するように取付部材１４２内に配置されて、螺合受部材１４４を常時前方に付勢するようになっている。
【００３６】
次に、上記した上側遊技機固定装置１４０及び賞球補給装置１４をそれぞれ上部島枠４に対してスライド調整可能に固定するスライド調整機構１８０について説明する。なお、以下の説明では、便宜的に、上側遊技機固定装置１４０をスライド調整可能に固定するスライド調整機構１８０についてのみ説明を行う。スライド調整機構１８０は、図６（Ａ）（Ｂ）に示すように、上部島枠４にビス止めされるスライドベース１８１と、上側遊技機固定装置１４０を構成する取付ベース１４１の取付フランジ部１５２に蝶ボルト１８２で取り付け固定されるスペーサ１８３及びスライド板１８４と、このスライド板１８４に取り付けられる蝶ボルト１８５及びワッシャー１８６とから構成されている。
【００３７】
スライドベース１８１は、断面が「Ｌ」字状に形成されると共に、その全長が外枠９の横幅とほぼ同一に形成されている。上部島枠４の上端面と面接触して固定されるスライドベース１８１の上壁片１８７には、ビス止め用の取付穴１８８が複数穿設され、スライドベース１８１の側壁片１８９には、スペーサ１８３及びスライド板１８４と係合するスライド溝１９１が上下一対の溝形成壁１９０によってスライドベース１８１の全長に亘って条設されている。
【００３８】
スペーサ１８３は、ほぼ正方形状の平板からなり、その平板面には蝶ボルト１８２と螺合するネジ穴１９２が穿設されている。一方、スライド板１８４は、スペーサ１８３に比べて若干大きめとなる横長方形状の平板からなり、その平板面には蝶ボルト１８２、１８５と螺合するネジ穴１９３、１９４が長手方向に沿って穿設されている。そして、スペーサ１８３及びスライド板１８４は、それぞれネジ穴１９２、１９３を介して蝶ボルト１８２で取付ベース１４１の取付フランジ部１５２（取付穴１５１）に取り付け固定される。また、スペーサ１８３の横長寸法は、取付フランジ部１５２の横幅とほぼ同一に設定されており、スライド板１８４の横長寸法は、取付フランジ部１５２の横幅に比べて長めに設定されている。このため、スペーサ１８３は、取付フランジ部１５２の左右両側から突出することなく取付ベース１４１に固定される。これに対して、スライド板１８４は、取付ベース１４１との間にスペーサ１８３を挟持した状態で且つその一端側（ネジ穴１９４が穿設された側）が取付フランジ部１５２の一側端から突出した状態で固定される。そして、取付フランジ部１５２から突出したスライド板１８４の一端側部分（ネジ穴１９４が穿設された部分）は、蝶ボルト１８５及びワッシャー１８６の取付部１９５を構成するようになっている。
【００３９】
しかして、上記したスライド調整機構１８０を構成するスライドベース１８１は、パチンコ島台１に設置されるパチンコ遊技機毎に各取付穴１８８を介して上部島枠４にビス止めして取り付けられる。次いで、このように上部島枠４に固定されたスライドベース１８１のスライド溝１９１に、上側遊技機固定装置１４０の取付ベース１４１が蝶ボルト１８２で固定されたスライド調整機構１８０のスペーサ１８３及びスライド板１８４を側方からスライド挿入することで、上側遊技機固定装置１４０が上部島枠４に固定されたスライドベース１８１に対してスライド可能に取り付けられる。そして、パチンコ遊技機を構成する外枠９の上辺部を固定する位置に上側遊技機固定装置１４０をスライド移動させ、この状態でスライド板１８４の取付部１９５に取り付けられた蝶ボルト１８５を締め付ける。これにより、スライド板１８４とワッシャー１８６との間で、スライド溝１９１を形成するスライドベース１８１の溝形成壁１９０を挟持することになり、結果として、上側遊技機固定装置１４０にて外枠９が所望の固定位置に固定される。
【００４０】
次に、以上説明した上側遊技機固定装置１４０によってパチンコ遊技機（外枠９）を遊技機設置空間１０内で傾斜角度を調整可能に固定する手順について説明する。なお、上側遊技機固定装置１４０の組み付けにおいて、取付部材１４２は、取付ベース１４１に対して２通りの取り付け状態のうちいずれか一方の状態で取り付けが行われる。即ち、取付部材１４２の取付フランジ部１６２に螺合された固定ボルト１４７を取付ベース１４１の基板部１５０に穿設された後側のネジ穴１５４に捻じ込んで、取付部材１４２を取付ベース１４１に取り付け固定した場合には、図６（Ａ）に示すように、取付ベース１４１に対して取付部材１４２が後側に取り付けられることで、取付ベース１４１がビス止めされる上部島枠４に対して押圧固定部材１４３が後側に配置される。このため、外枠９の奥行きが大きく設定されているとき、換言すれば、外枠９の後端面が後方に入り込んで設置されるときには、図６（Ａ）に示す状態で押圧固定部材１４３を後側に配置することにより、奥行きが大きい外枠９に対応した固定作業が行える。
【００４１】
一方、取付部材１４２の取付フランジ部１６２に螺合された固定ボルト１４７を取付ベース１４１の基板部１５０に穿設された前側のネジ穴１５３に捻じ込んで、取付部材１４２を取付ベース１４１に取り付け固定した場合には、取付ベース１４１に対して取付部材１４２が前側に取り付けられることで、取付ベース１４１がビス止めされる上部島枠４に対して押圧固定部材１４３が前側に配置される。このため、外枠９の奥行きが小さく設定されているとき、換言すれば、外枠９の後端面が後方に入り込まずに設置されるときには、押圧固定部材１４３を前側に配置することにより、奥行きが小さい外枠９に対応した固定作業が行える。
【００４２】
そして、上記した上側遊技機固定装置１４０に対して、図８（Ａ）に示すように、外枠９の上辺上面が取付部材１４２の取付フランジ部１６１と当接された状態で遊技機設置空間１０内に外枠９が挿入されると、次いで、図８（Ｂ）に示すように、外枠９の上辺部における傾斜角度を調整するための調整器具Ｃを用いて外枠９の傾斜角度を調整する。具体的には、調整器具Ｃの押圧面部Ｃ１を外枠９の上辺前面と当接させた状態で、調整器具Ｃの調整凹部Ｃ２が上部島枠４の前端面と当接する位置まで調整器具Ｃを押し込むことで、上部島枠４に対する外枠９の上辺部の前後位置を調節し、これによって外枠９の上辺部における傾斜角度を調整する。つまり、調整器具Ｃは、パチンコ遊技機が所望の傾斜角度に設定できるよう、調整凹部Ｃ２の奥行き寸法がそれぞれ異なった複数種類のものが予め設けられている。但し、この場合、外枠９の下辺部を固定したことを前提として、外枠９の上辺部を前後方向に位置調節することで傾斜角度の調整が行われるものである。また、このとき、押圧固定部材１４３は、押圧爪部１６８による外枠９の押圧を解除した状態にあり、取付部材１４２の挿通穴１６０に対する取付ボルト１４５の移動方向、換言すれば、遊技機設置空間１０に設置されるパチンコ遊技機（外枠９）の前後方向に沿ってスライド移動が可能となっている。従って、調整器具Ｃによって外枠９が後方に押し込まれる際、これに伴って、押圧固定部材１４３は、側壁面１６４の前端部である支持部１６４ａが外枠９の上辺後端面と当接した状態でコイルスプリング１４６の付勢力に抗して後方にスライド移動する。
【００４３】
その後は、図８（Ｃ）に示すように、取付ボルト１４５の雄ネジ部１７３を螺合受部材１４４のネジ穴１７２に捻じ込むことで、重力及び円錐型コイルスプリング１４９の付勢力に抗して押圧固定部材１４３を取付部材１４２に近づく方向（上方向）に移動させ、最終的に、押圧爪部１６８が外枠９の上辺下面に刺し込まれながら当該上辺下面を上方に押し込む位置まで押圧固定部材１４３を移動させ、これによって、押圧固定部材１４３（押圧爪部１６８）と取付部材１４２の当接フランジ部１６１との間で外枠９の上辺部を挟持固定する。また、このとき、必要に応じて押圧固定部材１４３のネジ穴１６５ａに押圧ボルト１４８を捻じ込むことで（図５参照）、押圧ボルト１４８の先端部でも外枠９の上辺下面を押さえ込む。これにより、外枠９が硬質プラスチック等の硬質材料から形成されて硬度の高い外枠９を上側遊技機固定装置１４０で固定する場合でも、硬質な外枠９による押圧爪部１６８の押し返し（のけ反り）を抑えることができ、強い押し込み力で外枠９を確実に固定することができる。但し、外枠９がプラスチック製等、比較的硬質な材料で形成されている場合には、押圧ボルト１４８に替えてビスを押圧固定部材１４３のネジ穴１６５ａに捻じ込んでビス止めするようにすれば、より強固に外枠９の固定を行うことができる。
【００４４】
なお、押圧固定部材１４３の押圧爪部１６８によって外枠９を下方から押圧して固定する際、押圧爪部１６８を介して外枠９の上辺下面から強い反力を受けることになるが、このような押圧爪部１６８による押圧状態で、押圧固定部材１４３の後壁面１６６の当接部１６６ａは、取付部材１４２の上壁面１５７と当接するようになっており、さらに円錐型コイルスプリング１４９が収縮し、押圧固定部材１４３を取付部材１４２から遠ざける方向（下方向）に円錐型コイルスプリング１４９の付勢力が作用するようになっている。このため、押圧固定部材１４３の一端部である押圧爪部１６８にかかる強い反力は、押圧固定部材１４３の他端部である当接部１６６ａと当接する取付部材１４２の上壁面１５７で受けられると共に円錐型コイルスプリング１４９で受けられるので、押圧固定部材１４３が外枠９からの反力を受けて変形するという事態を回避することができる。
【００４５】
また、上側遊技機固定装置１４０は、取付部材１４２内に配置されて螺合受部材１４４を前方に付勢するコイルスプリング１４６を備えた構成となっている。このため、取付ボルト１４５を介して螺合受部材１４４と一体的に取り付けられる押圧固定部材１４３も同様に、コイルスプリング１４６の弾性力によって前方に付勢されるようになっている。従って、パチンコ遊技機（外枠９）を固定する場合、外枠９の上辺部の後端面を支持する押圧固定部材１４３の支持部１６４ａは、常に外枠９の上辺部を前方に押圧する方向、換言すれば、外枠９の上辺部の後端面との隙間をなくす方向に自動的に移動することになる。その結果、押圧固定部材１４３の支持部１６４ａと外枠９の上辺部の後端面とを密着させることで、外枠９を確実に支持した状態で上側遊技機固定装置１４０によるパチンコ遊技機（外枠９）の固定を行うことができる。
【００４６】
さらには、コイルスプリング１４６の弾性力によって押圧固定部材１４３を前方に付勢する構成とすることで、パチンコ遊技機を固定していない状態で、常に押圧固定部材１４３をスライド移動可能な最前方位置に移動させておくことができる。このため、遊技機設置空間１０へのパチンコ遊技機の取り付け及び取り外し作業毎で押圧固定部材１４３を後方位置から前方に戻すような煩雑な作業が不要になる。しかも、入れ替えて設置するパチンコ遊技機（外枠９）の奥行きが入れ替え前のものと異なるような場合でも、押圧固定部材１４３の支持部１６４ａは、常に外枠９の上辺部を前方に押圧する方向、換言すれば、外枠９の上辺部の後端面との隙間をなくす方向に自動的に移動することになるので、外枠９の奥行きに応じて押圧固定部材１４３を前後方向に移動調整する必要がなくなり、外枠９の固定作業を容易にできる。なお、パチンコ遊技機の固定作業が不慣れな作業員の場合、押圧固定部材１４３の支持部１６４ａと外枠９の上辺部の後端面との間で隙間が生じてしまい、外枠９の支持状態が不安定のままパチンコ遊技機を固定してしまうようなこともあり得るが、上記した構成であれば、固定作業の熟練度合いに関わらず確実な支持状態でパチンコ遊技機を固定することができる。
【００４７】
また、上記した構成によれば、コイルスプリング１４６の弾性力によって押圧固定部材１４３の支持部１６４ａが前後方向に移動する場合、これに伴って押圧固定部材１４３の押圧爪部１６８も一体的に前後方向に移動するようになっている。このため、上側遊技機固定装置１４０は、奥行きが異なったパチンコ遊技機（外枠９）を固定する際でも、外枠９の上辺部の後端面から所定の前方位置を押圧することになる。その結果、外枠９の奥行きが極端に短く設定される、あるいは傾斜角度の調整として外枠９を極端に前側に移動させることで、支持部１６４ａの位置をかなり前方に移動させる必要がある場合でも、押圧爪部１６８による外枠９の固定位置が後端になってしまうことを回避することができ、確実に外枠９を固定することができる。
【００４８】
ところで、パチンコ遊技機の入れ替えにより、上側遊技機固定装置１４０により遊技機設置空間１０に設置されている入れ替え前のパチンコ遊技機を取り外す場合、本来は、図９（Ａ）に示す状態で、押圧固定部材１４３からの取付ボルト１４５の外れ具合を目視しながら徐々に回転させて、図９（Ｂ）に示すように、押圧固定部材１４３が上側遊技機固定装置１４０（取付部材１４２）から離脱しないように使用すべきところを、不慣れな作業者は、電動工具等で加減せずに取付ボルト１４５（操作部１７４）を一気に回転させ、その結果、図９（Ｃ）に示すように、取付ボルト１４５の雄ネジ部１７３が螺合受部材１４４のネジ穴１７２から外れ、このため押圧固定部材１４３が上側遊技機固定装置１４０（取付部材１４２）から離脱してしまうことがある。しかしながら、本実施形態の上側遊技機固定装置１４０では、円錐型コイルスプリング１４９は、そのコイル巻回径が上端から下端にかけて徐々に縮径することで、とぐろ状に形成されており、下端部１４９ａのコイル巻回径は、取付ボルト１４５の雄ネジ部１７３のネジ径とほぼ同一に設定されている。このため、円錐型コイルスプリング１４９は、下端部１４９ａが押圧固定部材１４３の上壁面１６５と当接するように雄ネジ部１７３に係止された状態で押圧固定部材１４３と取付部材１４２との間に配置されることになる。
【００４９】
即ち、本実施形態の上側遊技機固定装置１４０は、図９（Ｃ）に示すように、押圧固定部材１４３の取付穴１６７より大きく形成された取付ボルト１４５の操作部１７４と円錐型コイルスプリング１４９とにより押圧固定部材１４３を挟持する状態で、押圧固定部材１４３、取付ボルト１４５及び円錐型コイルスプリング１４９が組み付けられて一体的に形成されている。従って、不慣れな作業者が取付ボルト１４５を一気に回転させて押圧固定部材１４３を上側遊技機固定装置１４０（取付部材１４２）から離脱させても、取付ボルト１４５がその自重により押圧固定部材１４３から抜け落ちて分離したり、円錐型コイルスプリング１４９が取付ボルト１４５から外れ不意に飛び出して分離したりしてしまうこと、つまり、押圧固定部材１４３を上側遊技機固定装置１４０から離脱させても、取付ボルト１４５及び円錐型コイルスプリング１４９が押圧固定部材１４３から分離することを防止している。従って、パチンコ遊技機の入れ替え作業の際、取付ボルト１４５及び円錐型コイルスプリング１４９が押圧固定部材１４３から分離し、パチンコ島台１の玉貯留タンク等の装置に落下して貯留されているパチンコ玉に紛れ込み、取付ボルト１４５や円錐型コイルスプリング１４９を紛失してしまうということを防止でき、その結果、パチンコ島台１内において、紛失した取付ボルト１４５や円錐型コイルスプリング１４９が原因で、玉詰まりや循環装置等を故障させたりするトラブルを回避することができる。
【００５０】
さらに、円錐型コイルスプリング１４９は、工具を使用することなく、容易に取付ボルト１４５の雄ネジ部１７３に着脱して該取付ボルト１４５に取り付け又は取り外すことができ、また、形状が円錐状になっているので、取付ボルト１４５に取り付ける際の操作が行いやすく、且つ押圧固定部材１４３の上壁面１６５と取付部材１４２の上壁面１５７との間に配置されたときの安定性が非常によい。加えて、円錐型コイルスプリング１４９は、重量も軽く、取付ボルト１４５の操作部１７４を回転させても雄ネジ部１７３から脱落することなく、下端部１４９ａが雄ネジ部１７３に係止された状態を維持することができる。
【００５１】
次に、下側遊技機固定装置３００の構成について図１０〜１２を参照して説明する。図１０（Ａ）は、下側遊技機固定装置３００を示す斜視図であり、図１０（Ｂ）は、下側遊技機固定装置３００を示す一部分解斜視図であり、図１０（Ｃ）は、下側遊技機固定装置３００を示す分解斜視図であり、図１１（Ａ）〜（Ｄ）は、下側遊技機固定装置３００の押圧固定部材３０３の作用状態を示す縦断面図であり、図１２（Ａ）〜（Ｃ）は、下側遊技機固定装置３００から押圧固定部材３０３、取付ボルト３０５、円錐型コイルスプリング３０７を分離した状態を示す縦断面図である。
【００５２】
下側遊技機固定装置３００は、上記図１、２の説明で記載したように、アウト玉計数ボックス１２と共に下部島枠５（支承板７）に取り付けられる。なお、下部島枠５に取り付けられる下側遊技機固定装置３００及びアウト玉計数ボックス１２についても、前述した上側遊技機固定装置１４０と同様に、スライド調整機構１８０を介して下部島枠５に取り付けることで、下部島枠５に対してスライド調整可能に固定するようにしてもよい。
【００５３】
下側遊技機固定装置３００は、図１０（Ａ）〜（Ｃ）に示すように、下部島枠５の上面に取付ベース３０１を介して固定されるベース部材３０８と、ベース部材３０８の上側に取り付けられる取付部材３０２と、外枠９の下辺部の上面を下方に押圧することで外枠９の下辺部を固定する押圧固定部材３０３と、押圧固定部材３０３を取付部材３０２の上側に取り付ける螺合受部材３０４及び取付ボルト３０５とを備えている。ベース部材３０８は、取付ベース３０１と一体的に下部島枠５に取り付けられるようになっており、押圧固定部材３０３は、取付部材３０２に対してスライド移動可能に取り付けられるようになっている。また、下側遊技機固定装置３００は、後に詳述する円錐型コイルスプリング３０７及びコイルスプリング３０９も備えている。
【００５４】
取付ベース３０１は、長方形状の木材からなり、外枠９の高さが異なる場合（外枠９には関東枠と関西枠の２種類あり、関東枠は関西枠より１０ミリ程度高さが短い）のスペーサの役割を果たしている。また、取付ベース３０１には、下部島枠５にビス止めするための取付穴３１０が６箇所穿設されている。ベース部材３０８は、取付ベース３０１に穿設された６つの取付穴３１０と対応する６つの取付穴３３０が穿設された長方形状の金属板からなる。また、ベース部材３０８の後端部には、固定ボルト３０６を介して取付部材３０２をベース部材３０８に取り付けるための固定穴３３１が穿設される一方、ベース部材３０８の前端部には、取付部材３０２を係止するＴ字状の係止突片３３２が立設されている。なお、Ｔ字状をなす係止突片３３２の上辺部を形成する左右の突出部は、後述する左右一対の係合突起３１３の上下位置決め係合部３１３ａと係合する上下位置決め係止部３３２ａを構成しており、この上下位置決め係止部３３２ａと上下位置決め係合部３１３ａとの係合によって、取付部材３０２をベース部材３０８に対して上下方向で位置決め固定するようになっている。また、Ｔ字状をなす係止突片３３２の垂直基部の両端部は、左右一対の係合突起３１３の左右位置決め係合部３１３ｂと係合する左右位置決め係止部３３２ｂを構成しており、この左右位置決め係止部３３２ｂと左右位置決め係合部３１３ｂとの係合によって、取付部材３０２をベース部材３０８に対して左右方向で位置決め固定するようになっている。
【００５５】
取付部材３０２は、金属板が折曲されて、上壁面３１１、左右の側壁面３１２ａ及び後壁面３１２ｂを備えた形状に形成されている。上壁面３１１には、取付ボルト３０５を挿通するための挿通穴３１１ａが長穴状に穿設されている。左右の側壁面３１２ａ前端には、ベース部材３０８の係止突片３３２と係合する左右一対の係合突起３１３が形成されている。係合突起３１３の上端部は、ベース部材３０８の上下位置決め係止部３３２ａと係合する上下位置決め係合部３１３ａを構成しており、係合突起３１３の内壁部分は、ベース部材３０８の左右位置決め係止部３３２ｂと係合する左右位置決め係合部３１３ｂを構成している。また、後壁面３１２ｂの下端には、取付部材３０２をベース部材３０８に固定ボルト３０６で固定するための固定フランジ部３３３が後方に向かって延設形成されており、この固定フランジ部３３３には、ベース部材３０８に穿設された固定穴３３１と対応する取付穴３３３ａが穿設されている。
【００５６】
そして、取付ベース３０１及びベース部材３０８は、取付穴３１０、３３０を介して下部島枠５に一体的にビス止めして取り付けられる。また、このようにして下部島枠５上に取り付けられたベース部材３０８に対して、取付部材３０２が取り付けられる。具体的には、ベース部材３０８の係止突片３３２（上下位置決め係止部３３２ａ、左右位置決め係止部３３２ｂ）に対して、取付部材３０２の係合突起３１３（上下位置決め係合部３１３ａ、左右位置決め係合部３１３ｂ）が係止されると共に、ベース部材３０８の固定穴３３１に対して、取付部材３０２の固定フランジ部３３３に設けられた取付穴３３３ａが固定ボルト３０６で固定されることで、ベース部材３０８上に取付部材３０２が取り付けられる。なお、取付部材３０２は、長穴状の挿通穴３１１ａの条設方向が遊技機設置空間１０に設置されるパチンコ遊技機（外枠９）の前後方向と並行になるように取り付けられる。
【００５７】
押圧固定部材３０３は、金属板が折曲されて、左右の側壁面３１４、上壁面３１５及び後壁面３１６を備えた形状に形成されている。左右の側壁面３１４は、取付部材３０２の左右の側壁面３１２ａを外嵌する形状に形成されており、その前端部は、遊技機設置空間１０に設置される外枠９の下辺部の後端面と当接して該後端面を支持する支持部３１４ａを構成している。上壁面３１５の後側寄り部分には、取付ボルト３０５を取り付けるための取付穴３１７が穿設されている。一方、上壁面３１５の前端側は、遊技機設置空間１０に設置される外枠９下辺部の上方の位置まで延設されており、その先端部は、下方にほぼ直角に折曲されて複数（本実施形態では３つ）押圧爪部３１８が形成されている。また、上壁面３１５の前端部には、必要に応じて使用されるボルト取付用のネジ穴３１９が穿設されている。このネジ穴３１９は、押圧ボルト（図示省略）の捻じ込みを可能にして、該押圧ボルトの先端部で外枠９の下辺上面を補助的に押さえ込むようになっている。後壁面３１６は、側壁面３１４に比べて高さが短く設定されている。このため、押圧固定部材３０３を取付部材３０２に取り付けた状態で、左右の側壁面３１４が取付部材３０２の左右の側壁面３１２ａを外嵌することができるようになっており、後壁面３１６下端部に形成された当接部３１６ａは、押圧固定部材３０３による外枠９の下辺部の押圧状態に応じて取付部材３０２の上壁面３１１と当接するようになっている。
【００５８】
螺合受部材３０４は、前壁面３２０ａ、後壁面３２０ｂ及び上壁面３２１を備えた形状に金属板が折曲形成されて、取付部材３０２の上壁面３１１とベース部材３０８との間の空間内に配置される。上壁面３２１には、取付ボルト３０５と螺合するネジ穴３２２が穿設されている。なお、螺合受部材３０４の後壁面３２０ｂと取付部材３０２の後壁面３１２ｂとの間には、コイルスプリング３０９が配置される。これにより、螺合受部材３０４は、コイルスプリング３０９の弾性力によって、常時前方に付勢されるようになっている。取付ボルト３０５は、螺合受部材３０４のネジ穴３２２と螺合する雄ネジ部３２３と、この雄ネジ部３２３の上端に一体的に設けられて当該取付ボルト３０５を回転操作するための操作部３２４とを備えている。
【００５９】
そして、図１０（Ｃ）に示すように、取付ボルト３０５の雄ネジ部３２３が、押圧固定部材３０３の取付穴３１７、円錐型コイルスプリング３０７及び取付部材３０２の挿通穴３１１ａに順次挿通され、この状態から、雄ネジ部１７３の先端部分が螺合受部材３０４のネジ穴３２２に螺合される。これにより、押圧固定部材３０３が、螺合受部材３０４及び取付ボルト３０５によって取付部材３０２に取り付けられて、下側遊技機固定装置３００が組み付けられる。また、このような下側遊技機固定装置３００の組み付けによって、押圧固定部材３０３の上壁面３１５と取付部材３０２の上壁面３１１との間には、円錐型コイルスプリング３０７が配置されることになり、この円錐型コイルスプリング３０７は、上壁面３１５が取付ボルト３０５の操作部３２４と当接するように押圧固定部材３０３を常時付勢する。なお、円錐型コイルスプリング３０７は、そのコイル巻回径が下端から上端にかけて徐々に縮径することで、とぐろ状に形成されており、上端部３０７ａのコイル巻回径は、取付ボルト３０５の雄ネジ部３２３のネジ径とほぼ同一に設定されている。また、螺合受部材３０４の後壁面３２０ｂと取付部材３０２の後壁面３１２ｂとの間に配置されたコイルスプリング３０９は、前述したように螺合受部材３０４を常時前方に付勢するものであるが、この螺合受部材３０４と取付ボルト３０５とによって連結される押圧固定部材３０３も常時前方に付勢するものである。
【００６０】
しかして、以上説明した下側遊技機固定装置３００によって外枠９の下辺部を遊技機設置空間１０に固定する場合、図１１（Ａ）に示すように、まず、外枠９を遊技機設置空間１０の前方から差し入れる。このとき、取付ボルト３０５の雄ネジ部３２３が螺合受部材３０４のネジ穴３２２に対して緩めることで、押圧固定部材３０３は、円錐型コイルスプリング３０７の付勢力によって取付部材３０２から遠ざかる方向（上方向）に移動されている。これにより、螺合受部材３０４に対する取付ボルト３０５の捻じ込みを弱めた状態でも、押圧固定部材３０３の押圧爪部３１８が自重によって下方に落ち込むことを回避できる。従って、外枠９を遊技機設置空間１０に対して前方から挿入する際でも、外枠９の遊技機設置空間１０内への挿入を阻害しない位置に押圧爪部３１８を移動させておくことができ、外枠９の固定作業を容易にできる。
【００６１】
また、このとき、押圧固定部材３０３は、取付ボルト３０５（雄ネジ部３２３）のネジ穴３２２に対する捻じ込みが緩められ、しかも、外枠９に対して押圧爪部３１８が当接して押圧していない状態にあるため、取付部材３０２の挿通穴３１１ａに対する取付ボルト３０５の移動方向、換言すれば、遊技機設置空間１０に設置されるパチンコ遊技機（外枠９）の前後方向に沿ってスライド移動が可能となっている。そして、図１１（Ｂ）（Ｃ）に示すように、外枠９の下辺部を支承板７上で前後方向に移動調整することで、下部島枠５に対する外枠９の下辺部の前後位置を調節し、これによって外枠９の下辺部におけるパチンコ遊技機の傾斜角度を調節する。但し、この場合、外枠９の上辺部を固定したことを前提として、外枠９の下辺部を前後方向に位置調節することで傾斜角度の調整が行われるものである。また、外枠９の下辺部を前後方向に移動する際、これに伴って、押圧固定部材３０３は、側壁面３１４の前端部である支持部３１４ａが外枠９の下辺後端面と当接した状態でコイルスプリング３０９の不勢力に抗して後方にスライド移動したり、前方にスライド移動したりする。
【００６２】
その後、図１１（Ｄ）に示すように、外枠９の下辺部における前後位置を調節することで、パチンコ遊技機の傾斜角度の調整が完了すると、取付ボルト３０５の雄ネジ部３２３を螺合受部材３０４のネジ穴３２２に捻じ込むことで、円錐型コイルスプリング３０７の付勢力に抗して押圧固定部材３０３を取付部材３０２に近づく方向（下方向）に移動し、最終的に、押圧爪部３１８が外枠９の下辺上面に刺し込まれながら押圧固定部材３０３を移動させる。これによって、押圧固定部材３０３（押圧爪部３１８）と支承板７との間で外枠９の下辺部を挟持固定する。また、このとき、必要に応じて押圧固定部材３０３のネジ穴３１９に押圧ボルト（図示省略）を捻じ込むことで、押圧ボルトの先端部でも外枠９の下辺上面を補助的に押さえ込むことができる。これにより、外枠９が硬質プラスチック等の硬質材料から形成されて硬度の高い外枠９を下側遊技機固定装置３００で固定する場合でも、硬質な外枠９による押圧爪部３１８の押し返し（のけ反り）を抑えることができ、強い押し込み力で外枠９を確実に固定することができる。但し、外枠９がプラスチック製等、比較的硬質な材料で形成されている場合には、この押圧ボルトに替えてビスを押圧固定部材３０３のネジ穴３１９に捻じ込んでビス止めするようにすれば、より強固に外枠９の固定を行うことができる。
【００６３】
なお、押圧固定部材３０３の押圧爪部３１８によって外枠９を上方から押圧して固定する際、押圧爪部３１８を介して外枠９の下辺上面から強い反力を受けることになるが、このような押圧爪部３１８による押圧状態で、押圧固定部材３０３の後壁面３１６の当接部３１６ａは、取付部材３０２の上壁面３１１と当接するようになっており、さらに円錐型コイルスプリング３０７が収縮し、押圧固定部材３０３を取付部材３０２から遠ざける方向（上方向）に円錐型コイルスプリング３０７の付勢力が作用するようになっている。このため、押圧固定部材３０３の一端部である押圧爪部３１８にかかる強い反力は、押圧固定部材３０３の他端部である当接部３１６ａと当接する取付部材３０２の上壁面３１１で受けられると共に円錐型コイルスプリング３０７で受けられるので、押圧固定部材３０３が外枠９からの反力を受けて変形するという事態を回避することができる。
【００６４】
また、下側遊技機固定装置３００においても、前述した上側遊技機固定装置１４０と同様に、取付部材３０２内に配置されて螺合受部材３０４を前方に付勢するコイルスプリング３０９を備えた構成となっている。このため、取付ボルト３０５を介して螺合受部材３０４と一体的に取り付けられる押圧固定部材３０３も同様に、コイルスプリング３０９の弾性力によって前方に付勢されるようになっている。従って、パチンコ遊技機（外枠９）を固定する場合、外枠９の下辺部の後端面を支持する押圧固定部材３０３の支持部３１４ａは、常に外枠９の下辺部を前方に押圧する方向、換言すれば、外枠９の下辺部の後端面との隙間をなくす方向に自動的に移動することになる。その結果、押圧固定部材３０３の支持部３１４ａと外枠９の下辺部の後端面とを密着させることで、外枠９を確実に支持した状態で下側遊技機固定装置３００によるパチンコ遊技機（外枠９）の固定を行うことができる。
【００６５】
さらには、コイルスプリング３０９の弾性力によって押圧固定部材３０３を前方に付勢する構成とすることで、パチンコ遊技機を固定していない状態で、常に押圧固定部材３０３をスライド移動可能な最前方位置に移動させておくことができる。このため、遊技機設置空間１０へのパチンコ遊技機の取り付け及び取り外し作業毎で押圧固定部材３０３を後方位置から前方に戻すような煩雑な作業が不要になる。しかも、入れ替えて設置するパチンコ遊技機（外枠９）の奥行きが入れ替え前のものと異なるような場合でも、押圧固定部材３０３の支持部３１４ａは、常に外枠９の下辺部を前方に押圧する方向、換言すれば、外枠９の下辺部の後端面との隙間をなくす方向に自動的に移動することになるので、外枠９の奥行きに応じて押圧固定部材３０３を前後方向に移動調整する必要がなくなり、外枠９の固定作業を容易にできる。なお、パチンコ遊技機の固定作業が不慣れな作業員の場合、押圧固定部材３０３の支持部３１４ａと外枠９の下辺部の後端面との間で隙間が生じてしまい、外枠９の支持状態が不安定のままパチンコ遊技機を固定してしまうようなこともあり得るが、上記した構成であれば、固定作業の熟練度合いに関わらず確実な支持状態でパチンコ遊技機を固定することができる。
【００６６】
また、上記した構成によれば、コイルスプリング３０９の弾性力によって押圧固定部材３０３の支持部３１４ａが前後方向に移動する場合、これに伴って押圧固定部材３０３の押圧爪部３１８も一体的に前後方向に移動するようになっている。このため、下側遊技機固定装置３００は、奥行きが異なったパチンコ遊技機（外枠９）を固定する際でも、外枠９の下辺部の後端面から所定の前方位置を押圧することになる。その結果、外枠９の奥行きが極端に短く設定される、あるいは傾斜角度の調整として外枠９を極端に前側に移動させることで、支持部３１４ａの位置をかなり前方に移動させる必要がある場合でも、押圧爪部３１８による外枠９の固定位置が後端になってしまうことを回避することができ、確実に外枠９を固定することができる。
【００６７】
ところで、パチンコ遊技機の入れ替えにより、下側遊技機固定装置３００により遊技機設置空間１０に設置されている入れ替え前のパチンコ遊技機を取り外す場合、本来は、図１２（Ａ）に示す状態で、押圧固定部材３０３からの取付ボルト３０５の外れ具合を目視しながら徐々に回転させて、図１２（Ｂ）に示すように、押圧固定部材３０３が下側遊技機固定装置３００（取付部材３０２）から離脱しないように使用すべきところを、不慣れな作業者は、電動工具等で加減せずに取付ボルト３０５（操作部３２４）を一気に回転させ、その結果、図１２（Ｃ）に示すように、取付ボルト３０５の雄ネジ部３２３が螺合受部材３０４のネジ穴３２２から外れ、このため押圧固定部材３０３が下側遊技機固定装置３００（取付部材３０２）から離脱してしまうことがある。しかしながら、本実施形態の下側遊技機固定装置３００では、円錐型コイルスプリング３０７は、そのコイル巻回径が下端から上端にかけて徐々に縮径することで、とぐろ状に形成されており、上端部３０７ａのコイル巻回径は、取付ボルト３０５の雄ネジ部３２３のネジ径とほぼ同一に設定されている。このため、円錐型コイルスプリング３０７は、上端部３０７ａが押圧固定部材３０３の上壁面３１５と当接するように雄ネジ部３２３に係止された状態で押圧固定部材３０３と取付部材３０２との間に配置されることになる。
【００６８】
即ち、本実施形態の下側遊技機固定装置３００は、図１２（Ｃ）に示すように、押圧固定部材３０３の取付穴３１７より大きく形成された取付ボルト３０５の操作部３２４と円錐型コイルスプリング３０７とにより押圧固定部材３０３を挟持する状態で、押圧固定部材３０３、取付ボルト３０５及び円錐型コイルスプリング３０７が組み付けられて一体的に形成されている。従って、不慣れな作業者が取付ボルト３０５を一気に回転させて押圧固定部材３０３を下側遊技機固定装置３００（取付部材３０２）から離脱させても、取付ボルト３０５が押圧固定部材３０３から抜け落ちて分離したり、円錐型コイルスプリング３０７が取付ボルト３０５から外れ不意に飛び出して分離したりしてしまうこと、つまり、押圧固定部材３０３を下側遊技機固定装置３００から離脱させても、取付ボルト３０５及び円錐型コイルスプリング３０７が押圧固定部材３０３から分離することを防止している。従って、パチンコ遊技機の入れ替え作業の際、取付ボルト３０５及び円錐型コイルスプリング３０７が押圧固定部材３０３から分離し、パチンコ島台１の玉貯留タンク等の装置に落下して貯留されているパチンコ玉に紛れ込み、取付ボルト３０５や円錐型コイルスプリング３０７を紛失してしまうということを防止でき、その結果、パチンコ島台１内において、紛失した取付ボルト３０５や円錐型コイルスプリング３０７が原因で、玉詰まりや循環装置等を故障させたりするトラブルを回避することができる。
【００６９】
さらに、円錐型コイルスプリング３０７は、工具を使用することなく、容易に取付ボルト３０５の雄ネジ部３２３に着脱して該取付ボルト３０５に取り付け又は取り外すことができ、また、形状が円錐状になっているので、取付ボルト３０５に取り付ける際の操作が行いやすく、且つ押圧固定部材３０３の上壁面３１５と取付部材３０２の上壁面３１１との間に配置されたときの安定性が非常によい。加えて、円錐型コイルスプリング３０７は、重量も軽く、取付ボルト３０５の操作部３２４を回転させても雄ネジ部３２３から脱落することなく、上端部３０７ａが雄ネジ部３２３に係止された状態を維持することができる。
【００７０】
以上の説明から明らかなように、このような本実施形態に係るパチンコ遊技機の固定装置（上側遊技機固定装置１４０、下側遊技機固定装置３００）の構成によれば、以下のような効果を奏する。
（１）パチンコ遊技機の入れ替え作業の際、入れ替えて設置するパチンコ遊技機（外枠９）の奥行きが入れ替え前のものと異なるような場合でも、外枠９の奥行きに応じて押圧固定部材１４３、３０３を前後方向に移動調整する必要がなく、遊技機設置空間１０に対する外枠９の挿入度合いを調整するだけでよいので、その結果、パチンコ遊技機（外枠９）の固定作業を容易に行うことができ、パチンコ遊技機の入れ替え作業をスムーズに行うことができる。
（２）パチンコ遊技機を遊技機設置空間１０に固定する際、押圧固定部材１４３、３０３の押圧爪部１６８、３１８は、外枠９の奥行きの大きさに関わらず、外枠９の後端面から所定の前方位置を押圧することができ、その結果、確実にパチンコ遊技機（外枠９）を遊技機設置空間１０に固定することができる。
（３）パチンコ遊技機の傾斜角度を調整するには、押圧固定部材１４３、３０３をパチンコ遊技機（外枠９）の前後方向と並行にスライド移動させて支持部１６４ａ、３１４ａの位置を調整した後、取付ボルト１４５、３０５を捻じ込み操作するだけでよく、その結果、パチンコ遊技機の傾斜角度を容易に調整することができる。
（４）パチンコ遊技機（外枠９）の固定により押圧固定部材１４３、３０３の押圧爪部１６８、３１８を介して外枠９から強い反力を受けた場合であっても、押圧固定部材１４３、３０３の後壁面１６６、３１６の当接部１６６ａ、３１６ａは、取付部材１４２、３０２の上壁面１５７、３１１と当接し、さらに円錐型コイルスプリング１４９、３０７が収縮するので、この押圧爪部１６８、３１８にかかる強い反力は、取付部材１４２、３０２の上壁面１５７、３１１で受けられると共に円錐型コイルスプリング１４９、３０７で受けられるので、その結果、押圧固定部材１４３、３０３が外枠９からの反力を受けて変形するという事態を回避することができる。
（５）円錐型コイルスプリング１４９、３０７は、その一端部（下端部１４９ａ、上端部３０７ａ）のコイル巻回径が取付ボルト１４５、３０５の雄ネジ部１７３、３２３のネジ径とほぼ同一に設定され、当該一端部（下端部１４９ａ、上端部３０７ａ）が押圧固定部材１４３、３０３の上壁面１６５、３１５と当接するように雄ネジ部１７３、３２３に係止された状態で、押圧固定部材１４３、３０３と取付部材１４２、３０２との間に配置されているので、即ち、押圧固定部材１４３、３０３、取付ボルト１４５、３０５及び円錐型コイルスプリング１４９、３０７は、一体的に組み付けられて形成されているので、パチンコ遊技機の入れ替え作業や遊技機固定装置１４０、３００の保守作業等の際、不慣れな作業者が取付ボルト１４５、３０５を一気に回転させて押圧固定部材１４３、３０３を遊技機固定装置１４０、３００から離脱させても、取付ボルト１４５、３０５及び円錐型コイルスプリング１４９、３０７が押圧固定部材１４３、３０３から分離してしまうことを防止できるので、その結果、取付ボルト１４５、３０５及び円錐型コイルスプリング１４９、３０７がパチンコ島台１内に紛れ込んで、当該パチンコ島台１を構成する各種装置が正常に機能しなくなる不具合を回避することができる。特に、上側遊技機固定装置１４０においては、取付ボルト１４５がその自重により押圧固定部材１４３から抜け落ちる虞が高いので、このような押圧固定部材１４３からの取付ボルト１４５の分離を、円錐型コイルスプリング１４９により確実に防止することが可能となる。
（６）円錐型コイルスプリング３０７は、取付ボルト３０５の捻じ込みを弱めた状態では、その付勢力によって押圧固定部材３０３を取付部材３０２から遠ざかる方向（上方向）に移動させるので、押圧固定部材３０３の押圧爪部３１８が自重によって下方に落ち込むことを回避でき、その結果、パチンコ遊技機（外枠９）を遊技機設置空間１０に対して前方から挿入する際、パチンコ遊技機（外枠９）の遊技機設置空間１０内への挿入を阻害しない位置に押圧爪部３１８を移動させておくことができ、パチンコ遊技機（外枠９）の固定作業を容易にすることができる。
【００７１】
以上、本発明の実施形態に係わるパチンコ遊技機の固定装置（上側遊技機固定装置１４０、下側遊技機固定装置３００）を図面に基づいて説明してきたが、具体的な構成は実施形態に示したものに限定されるものではなく、本発明の要旨を逸脱しない範囲における変更や追加などがあっても本発明に含まれる。例えば、上述した実施形態においては、固定装置の対象物は、パチンコ遊技機で説明したが、これは限定するものではなく、アレパチ、雀球等の遊技機に本発明を適用するようにしてもよく、その他の対象物であってもよい。また、円錐型コイルスプリング１４９、３０７は、その他の弾性部材、例えばゴム等の材料で形成するようにしてもよい。
【符号の説明】
【００７２】
１…パチンコ島台（遊技島台）、
４…上部島枠（上部島枠）、
５…下部島枠（上部島枠）、
９…外枠（外枠）、
１０…遊技機設置空間（遊技機設置空間）、
１４０…上側遊技機固定装置（固定装置）、
１４３、３０３…押圧固定部材（固定物）、
１４５、３０５…取付ボルト（螺軸部材）、
１４９、３０７…円錐型コイルスプリング（分離防止部材、分離防止部材の挿通穴、コイルスプリング）、
１４９ａ…下端部（係止部）、
１６７、３１７…取付穴（固定物の挿通穴）、
１７３、３２３…雄ネジ部（軸部）、
１７４、３２４…操作部（頭部）、
３００…下側遊技機固定装置（固定装置）、
３０７ａ…上端部（係止部）
【図１】
0006031744.tif 000002
【図２】
0006031744.tif 000003
【図３】
0006031744.tif 000004
【図４】
0006031744.tif 000005
【図５】
0006031744.tif 000006
【図６】
0006031744.tif 000007
【図７】
0006031744.tif 000008
【図８】
0006031744.tif 000009
【図９】
0006031744.tif 000010
【図１０】
0006031744.tif 000011
【図１１】
0006031744.tif 000012
【図１２】
0006031744.tif 000013